(57)【特許請求の範囲】
【請求項１】
車両本体の前方に設けられた、草を刈り取るモアーと、
刈り取られた前記草を搬送するための送風を行うブロワーと、
刈り取られた前記草を収容するコレクターと、
前記ブロワーよりも後方に設けられた、動力を発生するエンジンと、
前記ブロワーと前記エンジンとの中間に設けられた、前記エンジンによって発生された前記動力を前記ブロワーに伝達する伝動ケースと、
前輪を支持する前側支持フレームと、
後輪を支持する後側支持フレームと、
前記エンジンの上方を覆うボンネットと、
前記エンジンよりも後方に設けられたＨＳＴのポンプと、
を備え、
前記伝動ケースと前記エンジンとは、連結されており、
前記前側支持フレームは、前記伝動ケースと連結し、前記伝動ケースから前方に向かって延びており、
前記後側支持フレームは、前記エンジンと連結し、前記エンジンから後方に向かって延びており、
前記前側支持フレームは、前記伝動ケースの左右両側に配置されており、
前記後側支持フレームは、前記エンジンの左右両側に配置されており、
前記ＨＳＴのポンプは、前記後輪のアクスルの上方に配置されており、
前記ボンネットの後部は、上下方向に開閉自在であることを特徴とする、乗用草刈機。
【請求項２】
前記後側支持フレームの後部は、後ろ上がりに傾斜し、後方に向かって延びており、
前記ＨＳＴのポンプは、前記後側支持フレームの後部と連結し、
前記エンジンは、前記後側支持フレームの前部と連結することを特徴とする、請求項１に記載の乗用草刈機。
【発明の詳細な説明】
【技術分野】
【０００１】
本発明は、たとえば圃場内での草刈を行う乗用草刈機に関する。
【背景技術】
【０００２】
車両本体の前方に設けられた、草を刈り取るモアーと、刈り取られた草を搬送するための送風を行うブロワーと、刈り取られた草を収容するコレクターと、を備えた乗用草刈機が、知られている（たとえば、特許文献１参照）。
【０００３】
このような乗用草刈機の支持構造は、その内に初期位置のコレクターがある程度は収まる、前輪の車軸と後輪の車軸との間に水平に設けられた四角形の棒状フレームによって実現されている。
【先行技術文献】
【特許文献】
【０００４】
【特許文献１】欧州特許第１１４２４６６号明細書
【発明の概要】
【発明が解決しようとする課題】
【０００５】
しかしながら、本発明者は、前述された従来の乗用草刈機の支持構造は棒状フレームを必要としており、支持構造の構成が複雑になってしまっていることに気が付いた。
【０００６】
なお、このような支持構造においては、メンテナンス作業を容易に行うことが困難であった。
【０００７】
本発明は、前述された従来の課題を考慮し、堅牢な支持構造を簡易な構成によって実現することが可能な乗用草刈機を提供することを目的とする。
【課題を解決するための手段】
【０００８】
第１の本発明は、車両本体の前方に設けられた、草を刈り取るモアーと、
刈り取られた前記草を搬送するための送風を行うブロワーと、
刈り取られた前記草を収容するコレクターと、
前記ブロワーよりも後方に設けられた、動力を発生するエンジンと、
前記ブロワーと前記エンジンとの中間に設けられた、前記エンジンによって発生された前記動力を前記ブロワーに伝達する伝動ケースと、
前輪を支持する前側支持フレームと、
後輪を支持する後側支持フレームと、
前記エンジンの上方を覆うボンネットと、
前記エンジンよりも後方に設けられたＨＳＴのポンプと、
を備え、
前記伝動ケースと前記エンジンとは、連結されており、
前記前側支持フレームは、前記伝動ケースと連結し、前記伝動ケースから前方に向かって延びており、
前記後側支持フレームは、前記エンジンと連結し、前記エンジンから後方に向かって延びており、
前記前側支持フレームは、前記伝動ケースの左右両側に配置されており、
前記後側支持フレームは、前記エンジンの左右両側に配置されており、
前記ＨＳＴのポンプは、前記後輪のアクスルの上方に配置されており、
前記ボンネットの後部は、上下方向に開閉自在であることを特徴とする、乗用草刈機である。
【０００９】
これにより、伝動ケースとエンジンとが連結されているので、前側支持フレームで伝動ケースおよび前輪を、後側支持フレームでエンジンおよび後輪を支持することができ、堅牢な支持構造を簡易な構成によって実現することが可能である。
これにより、ボンネットがエンジンを覆うので、エンジンのメンテナンス作業を容易に行うことができ、利便性を向上することが可能である。
これにより、ＨＳＴのポンプが後輪のアクスルの上方に配置されているので、ＨＳＴのポンプのメンテナンス作業を容易に行うことができ、利便性を向上することが可能である。
【００１４】
第２の本発明は、前記後側支持フレームの後部は、後ろ上がりに傾斜し、後方に向かって延びており、
前記ＨＳＴのポンプは、前記後側支持フレームの後部と連結し、
前記エンジンは、前記後側支持フレームの前部と連結することを特徴とする、第１の本発明の乗用草刈機である。
【００１５】
これにより、ＨＳＴのポンプが後側支持フレームの後部によって支持され、エンジンが後側支持フレームの前部によって支持されているので、エンジンおよびＨＳＴのポンプを安定に支持することができ、堅牢な支持構造を簡易な構成によって実現することが可能である。
【発明の効果】
【００１６】
本発明によって、堅牢な支持構造を簡易な構成によって実現することが可能な乗用草刈機を提供することができる。
【図面の簡単な説明】
【００１７】
【図１】本発明における実施の形態の乗用草刈機の模式的な左側面図（その１）
【図２】本発明における実施の形態の乗用草刈機の模式的な平面図
【図３】本発明における実施の形態の乗用草刈機の模式的な背面図
【図４】本発明における実施の形態の乗用草刈機の模式的な部分平面図（その１）
【図５】本発明における実施の形態の乗用草刈機の模式的な部分拡大平面図
【図６】本発明における実施の形態の乗用草刈機の模式的な部分背面図
【図７】本発明における別の実施の形態の乗用草刈機の模式的な部分拡大平面図
【図８】本発明における別の実施の形態の乗用草刈機の模式的な部分左側面図
【図９】（ａ）本発明における別の実施の形態の乗用草刈機の模式的な部分斜視図、（ｂ）本発明における別の実施の形態の乗用草刈機の模式的な部分拡大斜視図
【図１０】本発明におけるさらに別の実施の形態の乗用草刈機の模式的な部分拡大斜視図
【図１１】本発明における実施の形態の乗用草刈機の模式的な部分平面図（その２）
【図１２】本発明における実施の形態の乗用草刈機の模式的な左側面図（その２）
【発明を実施するための形態】
【００１８】
以下、図面を参照しながら、本発明における実施の形態について詳細に説明する。
【００１９】
はじめに、図１〜４を主として参照しながら、本実施の形態の乗用草刈機の構成および動作について具体的に説明する。
【００２０】
ここに、図１は本発明における実施の形態の乗用草刈機の模式的な左側面図（その１）であり、図２は本発明における実施の形態の乗用草刈機の模式的な平面図であり、図３は本発明における実施の形態の乗用草刈機の模式的な背面図であり、図４は本発明における実施の形態の乗用草刈機の模式的な部分平面図（その１）である。
【００２１】
本実施の形態の乗用草刈機は、モアー１００と、ブロワー２００と、コレクター３００と、を備えている。
【００２２】
モアー１００は、車両本体の前方に設けられた、草を刈り取る手段である。
【００２３】
ブロワー２００は、刈り取られた草を搬送するための送風を行う手段である。
【００２４】
コレクター３００は、刈り取られた草を収容する手段である。
【００２５】
車両本体の前部には、作業者が運転を行うための運転席１９４０が設けられている。
【００２６】
車両本体の前端には、作業者が操縦を行うためのステアリングハンドル１９４１が設けられている。
【００２７】
モアー１００とブロワー２００とは、刈り取られた草を搬送する刈草搬送シュート１９５０によって連通されている。
【００２８】
車両本体の左右両側には、支柱１９６０が設けられている。
【００２９】
支柱１９６０は、運転席１９４０よりも後方に位置している。
【００３０】
そして、支柱１９６０には、コレクタードア１９７０の開閉をともなうコレクター３００のダンプ動作を行うための昇降リンク機構１９８０の前端が連結されている。
【００３１】
昇降リンク機構フレーム部材１９８１は、昇降リンク機構１９８０の後端に設けられており、コレクター３００の後方を左右方向に通過している。
【００３２】
つぎに、本実施の形態の乗用草刈機の構成および動作についてより具体的に説明する。
【００３３】
本実施の形態の乗用草刈機は、エンジン１１００と、伝動ケース１２００と、前側支持フレーム１３００と、後側支持フレーム１４００と、を備えている。
【００３４】
エンジン１１００は、ブロワー２００よりも後方に設けられた、動力を発生する手段である。
【００３５】
伝動ケース１２００は、ブロワー２００とエンジン１１００との中間に設けられた、エンジン１１００によって発生された動力をブロワー２００に伝達する手段である。
【００３６】
前側支持フレーム１３００は、前輪１３１０を支持する手段である。
【００３７】
後側支持フレーム１４００は、後輪１４１０を支持する手段である。
【００３８】
伝動ケース１２００とエンジン１１００とは、連結されている。
【００３９】
前側支持フレーム１３００は、伝動ケース１２００と連結し、伝動ケース１２００から前方に向かって延びている。
【００４０】
後側支持フレーム１４００は、エンジン１１００と連結し、エンジン１１００から後方に向かって延びている。
【００４１】
前側支持フレーム１３００は、伝動ケース１２００の左右両側に配置されている。後側支持フレーム１４００の前部は、エンジン１１００の幅狭部１１０１の左右両側に取り付けられている。
【００４２】
前輪１３１０の走行用モーター１３１１および後輪１４１０の走行用モーター１４１１を駆動するＨＳＴ（Ｈｙｄｒｏ  Ｓｔａｔｉｃ  Ｔｒａｎｓｍｉｓｓｉｏｎ）のポンプ１６００は、エンジン１１００よりも後方に設けられている。ＨＳＴのポンプ１６００は、後輪１４１０のアクスル１４２０の上方に配置されている。
【００４３】
ボンネット１５００は、エンジン１１００とＨＳＴのポンプ１６００を覆う手段である。ボンネット１５００の後部は、上下方向に空間ができるようにボンネット１５００の前部を支点として矢印Ｚで示される方向について回動可能であり、開閉自在に構成されている。
【００４４】
ブロワー伝動ケースとして機能する伝動ケース１２００とエンジン１１００とは前後方向において連結されており、伝動ケース１２００およびエンジン１１００の前後部分は前側支持フレーム１３００および後側支持フレーム１４００によって支持されている。
【００４５】
前側支持フレーム１３００と後側支持フレーム１４００とは別体であるので、伝動ケース１２００とエンジン１１００とが連結されていることは重要である。
【００４６】
本実施の形態においては、伝動ケース１２００とエンジン１１００とが連結プレート１９１０を利用して連結されている。
【００４７】
このため、堅牢な支持構造を簡易な構成によって実現することが可能である。
【００４８】
前側支持フレーム１３００は伝動ケース１２００の左側部および右側部に設けられた伝動ケース取り付けプレート１２１０を挟み込んでおり、後側支持フレーム１４００はエンジン１１００の左側部および右側部を挟み込んでいる。
【００４９】
一対の前側支持フレーム１３００の左右方向の幅は、一対の後側支持フレーム１４００の左右方向の幅よりも広く形成されている。そのため、前側支持フレーム１３００は左右方向の幅が比較的に広い伝動ケース１２００の左右両側に連結可能であり、後側支持フレーム１４００は左右方向の幅が比較的に狭いＨＳＴのポンプ１６００の左右両側に連結可能である。
【００５０】
ボンネット１５００を開けるときには、本発明における実施の形態の乗用草刈機の模式的な左側面図（その２）である図１２に示されているように、昇降リンク機構１９８０を昇降シリンダー１９８２を利用することによって上昇させ、コレクター３００を初期位置から上昇させる。そして、ボンネット１５００の後部に設けられた取っ手１５０１を把持し、ボンネット１５００を開ける。すると、エンジン１１００およびＨＳＴのポンプ１６００の上面が、露出する。
【００５１】
このため、エンジン１１００およびＨＳＴのポンプ１６００のメンテナンス作業を容易に行うことが可能である。
【００５２】
なお、本実施の形態の構成はボンネット１５００を開けたときに伝動ケース１２００の後部の一部のみが露出する構成であるが、伝動ケース１２００の上面全体が露出する構成も可能である。
【００５３】
ＨＳＴのポンプ１６００は、後輪１４１０のリアアクスルとして機能するアクスル１４２０の上方に配置されている。
【００５４】
このため、ＨＳＴのポンプ１６００がアクスル１４２０の下方に配置されている構成と比較して、ＨＳＴのポンプ１６００のメンテナンス作業を容易に行うことが可能である。
【００５５】
後側支持フレーム１４００の後部は、後ろ上がりに傾斜し、後方に向かって延びている。ＨＳＴのポンプ１６００は、後側支持フレーム１４００の後部と連結する。エンジン１１００は、後側支持フレーム１４００の前部と連結する。
【００５６】
エンジン１１００の左側部および右側部を挟み込んでいる後側支持フレーム１４００は、アクスル１４２０の上方に向かう傾斜を利用して延長され、その後端部近傍の平坦部でＨＳＴのポンプ１６００の左側部および右側部を支持している。
【００５７】
このため、ＨＳＴのポンプ１６００を安定に支持することが可能である。
【００５８】
ここで、本発明における実施の形態の乗用草刈機の模式的な部分平面図（その２）である図１１を参照しながら、前側支持フレーム１３００などのフレームに関するフレーム構成について詳細に説明する。
【００５９】
側面視において台形枠状の支柱支持フレーム１９６１は、前側支持フレーム１３００の上部から取り付けられている。支柱支持フレーム１９６１は左右一対で設けられており、それぞれの上部が左右の支柱１９６０の下部を支持している。
【００６０】
平面視においてコの字の形状のボンネット支持フレーム１２１０は、支柱支持フレーム１９６１の後部から後方に向かって設けられている。ボンネット支持フレームはボンネット１５００を受けるように設けられており、ボンネット支持フレームの後部は後側支持フレーム１４００の上方を通過している。
【００６１】
低重心化を促進するために低い位置で保持されるエンジン１１００からＨＳＴのポンプ１６００への動力の伝達は、動力伝達ベルト１９２０を利用して行われる。
【００６２】
このため、メンテナンス作業が容易である上述の構成が実現されるとともに、車両本体の安定性を保障しつつ、コレクター３００が刈り取られた草を収容するための収容量を十分に確保することが可能である。
【００６３】
後側支持フレーム１４００の後端部には、昇降リンク機構フレーム部材１９８１を支持する左右方向のフレーム部材１９３０が設けられている。
【００６４】
このため、刈り取られた草を収容するコレクター３００の重量が大きくなったときにも、コレクター３００を安定に支持することが可能である。
【００６５】
つぎに、図５および６を主として参照しながら、本実施の形態の乗用草刈機の構成および動作についてさらにより具体的に説明する。
【００６６】
ここに、図５は本発明における実施の形態の乗用草刈機の模式的な部分拡大平面図であり、図６は本発明における実施の形態の乗用草刈機の模式的な部分背面図である。
【００６７】
本実施の形態の乗用草刈機は、シューター２１００と、首振り部２２００と、モーター２３００と、第一ロッド２４００と、弾性体２５００と、第二ロッド２６００と、をさらに備えている。
【００６８】
シューター２１００は、送風によって搬送されてくる草をコレクター３００内に排出する手段である。
【００６９】
首振り部２２００は、シューター２１００の先端部側に設けられた、排出されてくる草の飛散方向を変更する手段である。
【００７０】
首振り部２２００は左右方向に往復させられる排出案内板２９１０を有しており、排出案内板２９１０の左側部および右側部は排出されてくる刈り取られた草をコレクター３００の内部へスムーズに案内できるように折り曲げられている。
【００７１】
このため、刈り取られた草はコレクター３００の内部の全体にわたって均一に堆積するので、コレクター３００の充填率を向上することが可能である。
【００７２】
モーター２３００は、首振り部２２００に首振りを行わせるための動力を発生する手段である。
【００７３】
第一ロッド２４００は、モーター２３００に連結された手段である。
【００７４】
弾性体２５００は、第一ロッド２４００に連結された手段である。
【００７５】
第二ロッド２６００は、弾性体２５００と首振り部２２００との間に連結された手段である。
【００７６】
たとえば、コレクター３００の集草部が草で満杯になったときには、首振りが草との衝突のために妨げられ、首振り部２２００のロックが発生しやすいので、首振り部２２００のロックにともなうモーター２３００の拘束を防止するための安全装置として機能する弾性体２５００は第一ロッド２４００と第二ロッド２６００との間のリンク部分に設けられている。
【００７７】
このため、首振り部２２００のロックにともなうモーター２３００の破損およびヒューズ切れなどの故障の発生を、モーター２３００の拘束を防止するモーター拘束防止リンク機構として機能する弾性体２５００を利用する簡単な構成で抑制することが可能である。
【００７８】
モーターステー２３１０は、モーター２３００を着脱自在にコレクター３００に取り付けるための、モーター２３００を内蔵する手段である。
【００７９】
コレクター３００の集草部からモーター２３００を隔離するモーターケースとして機能するモーターステー２３１０は、たとえば、コレクター３００のメンテナンス作業のためのメンテナンス開口部を兼ねたモーターステー開口部にコレクター３００の内部からネジによる四隅での固定などを利用して取り付けられている。
【００８０】
このため、モーターステー２３１０に内蔵されたモーター２３００は湿気を帯びた草に直接的に接触しないので、モーター２３００のメンテナンス作業を容易に行うことが可能である。
【００８１】
スプリング２７００は、首振り部２２００に取り付けられた手段である。シューター２１００の先端部は、コレクター３００の左右両側の内の何れか一方側寄りに配置されている。一方側とは反対側に草の飛散方向を変更している時間は、首振り部２２００に対するスプリング２７００の弾性力を利用して、一方側に草の飛散方向を変更している時間よりも大きくされる。
【００８２】
コレクター３００の内部へ刈り取られた草を排出する排出筒として機能するシューター２１００が、たとえば、コレクター３００の右側寄りに配置されている場合には、草はコレクター３００の内部の右側寄りに偏って堆積しやすいので、抵抗スプリングとして機能するスプリング２７００は、その長さが右側の首振り位置で自然長よりも短くなるように、コレクター３００の内壁に設けられた抵抗調節ボルト２９２０を介して取り付けられている。
【００８３】
このため、刈り取られた草はコレクター３００の内部の全体にわたって均一に堆積するので、コレクター３００の充填率を向上することが可能である。
【００８４】
なお、シューター２１００の先端部近傍には、草の排出を促進するための拡散ファンなどが追加的に設けられていてもよい。
【００８５】
また、首振り部２２００が有する排出案内板２９１０は、図７に示されているように、左右方向に往復させられる代わりに鉛直軸の回りに回転させられてもよい。
【００８６】
ここに、図７は、本発明における別の実施の形態の乗用草刈機の模式的な部分拡大平面図である。
【００８７】
回転運動のための機構は往復運動のための機構よりもしばしば単純であるので、装置構成の簡単化および／または消費電力の削減を実現することが可能である。
【００８８】
また、首振り部２２００は、図８に示されているように、箱形をしていてもよい。
【００８９】
ここに、図８は、本発明における別の実施の形態の乗用草刈機の模式的な部分左側面図である。
【００９０】
シューター２１００の先端部は、コレクター３００の左右両側の内の何れか一方側寄りに配置されている。首振り部２２００は、箱形をしており、箱形の一方側とは反対側の側面に形成された切り欠き２２１０を有している。
【００９１】
コレクター３００の内部へ刈り取られた草を排出する排出筒として機能するシューター２１００が、たとえば、コレクター３００の右側寄りに配置されている場合には、草はコレクター３００の内部の右側寄りに偏って堆積しやすいので、箱形をした首振り部２２００は左側部が切り欠かれている。
【００９２】
このため、刈り取られた草はコレクター３００の内部の全体にわたって均一に堆積するので、コレクター３００の充填率を向上することが可能である。
【００９３】
もちろん、箱形をした首振り部２２００が切り欠き２２１０を有している場合には、首振りが行われなくても刈り取られた草はコレクター３００の内部の全体にわたってある程度は均一に堆積するので、首振りを行わないまたはその回数などを減らして首振りを行うことによって装置構成の簡単化および／または消費電力の削減を実現することが可能である。
【００９４】
そして、このような箱形の具体的な形状は、コレクター３００の集草部が草で満杯になったことを検出するための満杯センサー２９３０の取り付けが容易であるような形状であることが望ましい。
【００９５】
また、コレクター３００の内部には、図９（ａ）および９（ｂ）に示されているように、コレクター天井プレート２９４０側の空気排出路として機能する上方の空気排出部から下方の集草部を分離するパーティション２９５０が水平に設けられていてもよい。
【００９６】
ここに、図９（ａ）は本発明における別の実施の形態の乗用草刈機の模式的な部分斜視図であり、図９（ｂ）は本発明における別の実施の形態の乗用草刈機の模式的な部分拡大斜視図である。
【００９７】
パーティション２９５０は、パーティション枠体２９５１と、パーティションメッシュ部２９５２と、コレクター嵌合部２９５３と、ストッパー２９５４、２９５５および２９５６と、を有している。
【００９８】
パーティション枠体２９５１は、パーティションメッシュ部２９５２を支持する枠状の手段である。
【００９９】
パーティションメッシュ部２９５２は、パーティション枠体２９５１によって支持される通気性が高い素材を利用して構成された手段である。
【０１００】
コレクター嵌合部２９５３は、コレクター３００の内壁の左右両側の内の少なくとも何れか一方側に設けられた溝などに嵌合する手段である。
【０１０１】
このような構成のため、パーティション２９５０は着脱自在にコレクター３００に取り付けられるので、清掃などのメンテナンス作業は容易である。
【０１０２】
ストッパー２９５４および２９５５は、コレクター天井プレート２９４０に接し、上方への移動を規制する手段である。
【０１０３】
ストッパー２９５６は、パーティション枠体嵌合部２９６１と、ロックバー２９６２と、ロックレバー２９６３と、ロックスプリング２９６４と、ロールピン２９６５と、をもち、後方への移動を規制する手段である。
【０１０４】
パーティション枠体嵌合部２９６１は、パーティション２９５０がコレクター３００の内部に引き込まれた際にパーティション枠体２９５１と嵌合する手段である。
【０１０５】
ロックバー２９６２は、パーティション枠体嵌合部２９６１に設けられた上下方向の二つの貫通孔を貫通してパーティション枠体嵌合部２９６１に取り付けられ、ロック実行時には上端部がコレクター天井プレート２９４０に設けられた穴に挿入される手段である。
【０１０６】
ロックレバー２９６３は、ロックバー２９６２の上端部近傍に固定され、ロック解除時には矢印Ｘで示される下向きへの作業者の押し下げによってロックバー２９６２を下向きにスライドさせる手段である。
【０１０７】
ロックスプリング２９６４は、ロックレバー２９６３とパーティション枠体嵌合部２９６１との間においてロックバー２９６２に巻回され、ロック解除時にはその長さが自然長よりも短くなるように圧縮される手段である。
【０１０８】
ロールピン２９６５は、ロックバー２９６２の下端部近傍に挿入され、パーティション枠体嵌合部２９６１に取り付けられたロックバー２９６２の上方への抜けを防止する手段である。
【０１０９】
このような構成のため、コレクター３００に取り付けられたパーティション２９５０の上方および後方への移動が規制されるので、パーティション２９５０はダンプ動作などの際にもコレクター３００から脱落しない。
【０１１０】
そして、ロックレバー２９６３が、ロック解除時には、図１０に示されているように、押し下げられる代わりに矢印Ｙで示される手前向きに引かれる構成も、考えられる。
【０１１１】
ここに、図１０は、本発明におけるさらに別の実施の形態の乗用草刈機の模式的な部分拡大斜視図である。
【０１１２】
ロックバー２９６２がパーティション枠体２９５１に上下の固定ピンで固定されたパイプ２９７０を上下方向に貫通しており、ロックバー２９６２が手前向きに引かれると、ロックバー２９６２に差し込まれているロックバーピン２９７２の両端部はパイプ２９７０に形成されている二重らせん状のパイプ溝２９７１に案内されて下向きに移動し、ロックバー２９６２が下向きにスライドさせられる。
【０１１３】
ロックバー２９６２を手前向きに引く操作はロックバー２９６２を押し下げる操作よりも多くの作業者にとってしばしば容易であるので、操作性を向上することが可能である。
【産業上の利用可能性】
【０１１４】
本発明における乗用草刈機は、堅牢な支持構造を簡易な構成によって実現することが可能であり、たとえば圃場内での草刈を行う乗用草刈機に利用する目的に有用である。
【符号の説明】
【０１１５】
１００  モアー
２００  ブロワー
３００  コレクター
１１００  エンジン
１１０１  幅狭部
１２００  伝動ケース
１２１０  伝動ケース取り付けプレート
１３００  前側支持フレーム
１３１０  前輪
１３１１  走行用モーター
１４００  後側支持フレーム
１４１０  後輪
１４１１  走行用モーター
１４２０  アクスル
１５００  ボンネット
１５０１  取っ手
１５１０  ボンネット支持フレーム
１６００  ポンプ
１９１０  連結プレート
１９２０  動力伝達ベルト
１９３０  フレーム部材
１９４０  運転席
１９４１  ステアリングハンドル
１９５０  刈草搬送シュート
１９６０  支柱
１９６１  支柱支持フレーム
１９７０  コレクタードア
１９８０  昇降リンク機構
１９８１  昇降リンク機構フレーム部材
１９８２  昇降シリンダー
２１００  シューター
２２００  首振り部
２２１０  切り欠き
２３００  モーター
２３１０  モーターステー
２４００  第一ロッド
２５００  弾性体
２６００  第二ロッド
２７００  スプリング
２９１０  排出案内板
２９２０  抵抗調節ボルト
２９３０  満杯センサー
２９４０  コレクター天井プレート
２９５０  パーティション
２９５１  パーティション枠体
２９５２  パーティションメッシュ部
２９５３  コレクター嵌合部
２９５４、２９５５、２９５６  ストッパー
２９６１  パーティション枠体嵌合部
２９６２  ロックバー
２９６３  ロックレバー
２９６４  ロックスプリング
２９６５  ロールピン
２９７０  パイプ
２９７１  パイプ溝
２９７２  ロックバーピン
【図１】
0006048352.tif 000002
【図２】
0006048352.tif 000003
【図３】
0006048352.tif 000004
【図５】
0006048352.tif 000005
【図７】
0006048352.tif 000006
【図９】
0006048352.tif 000007
【図１０】
0006048352.tif 000008
【図１１】
0006048352.tif 000009
【図１２】
0006048352.tif 000010
【図４】
0006048352.tif 000011
【図６】
0006048352.tif 000012
【図８】
0006048352.tif 000013